(57)【要約】【課題】就寝時等に人が当る等して不意な力がかかっても、外れたり、マットレスとの間に隙間が生じたりしにくいベッド用かけ布ずれ防止具を提供することを目的とする。【解決手段】ベッドのボトム６とこのボトム６上に載置されたマットレス７との間に一方のベッドサイドから差込まれる差込部２１と、この差込部２１の基端から起立してかけ布の側縁が当たりうるガード部１５とを含むベッド用かけ布ずれ防止具１０において、差込部２１の上面から上方へ５〜３０ｍｍ突出しマットレス７に食い込んで係合する係合突起２３を設けたことを特徴とするベッド用かけ布ずれ防止具。【選択図】図１
2012217676.tif 000002
【特許請求の範囲】
【請求項１】
ベッドのボトム（６）と該ボトム（６）上に載置されたマットレス（７）との間に一方のベッドサイドから差込まれる差込部（２１）と、該差込部（２１）の基端から起立してかけ布の側縁が当たりうるガード部（１５）とを含むベッド用かけ布ずれ防止具（１０、３０、３６）において、
前記差込部（２１）の上面から上方へ５〜３０ｍｍ突出し前記マットレス（７）に食い込んで係合する係合突起（２３、３３）を設けたことを特徴とするベッド用かけ布ずれ防止具。
【請求項２】
前記差込部（２１）の先端から前記係合突起（２３、３３）の中心までの距離が１０ｃｍ以下である請求項１に記載のベッド用かけ布ずれ防止具。
【請求項３】
前記係合突起（２３、３３）は、ポリマーからなり、平面視における面積が１〜２０ｃｍ２である請求項１又は２記載のベッド用かけ布ずれ防止具。
【発明の詳細な説明】
【技術分野】
【０００１】
本発明は、ベッド上のかけ布団、毛布等のかけ布のずれ落ちを防ぐベッド用かけ布ずれ防止具に関するものである。
【背景技術】
【０００２】
従来、この種のベッド用かけ布ずれ防止具５０として、図８に示すように、ベッドのボトム６とマットレス７との間にベッドサイドから差込まれ、先端に設けられた連結バー５４によって連結されている二本の差込部５２と、差込部５２の基端から起立してかけ布団、毛布等のかけ布の側縁が当たりうるガード部５３とを備えたものが知られている（特許文献１）。
【先行技術文献】
【特許文献】
【０００３】
【特許文献１】特開２００２−４５２６８公報
【発明の概要】
【発明が解決しようとする課題】
【０００４】
ところが、差込部５２はボトム６とマットレス７との間で挟持され、その摩擦で止まっているに過ぎない。そのため、特に差込部５２の上に人が位置していなかったり、乳幼児等のように体重の軽い人が寝ていたりした場合には、ガード部５３に人や物が当たる等して不意な力がかかると、差込部５２がずれ、ベッド用かけ布ずれ防止具５０が、ベッドから外れたり、外れないまでもマットレス７との間に隙間が生じることがあった。
【０００５】
例えば、図９のａに示すように、乳幼児Ｍが寝返りを打ってガード部５３に当ると、図９のｂに示すように、その勢いによりガード部５３が外側に向かって傾き、差込部５２の先端が上方へと浮くことから、差込部５２とボトム６との摩擦が小さくなるとともに、差込部５２の先端がマットレス７に緩い角度で食い込み上方へとマットレス７を持ち上げて浮かし、差込部５２とマットレス７との摩擦も小さくなる。そのため、図９のｃに示すように、当てられた勢いでベッド用かけ布ずれ防止具５０は、外側へと移動し、図９のｄに示すように、マットレス７との間に隙間が生じる。なお、連結バー５４の両端には、ボトム６及びマットレス７との摩擦により差込部５２のずれを防止するストッパー５５がそれぞれ設けられているが、差込部５２の先端が浮いてしまうと、連結バー５４も浮いてしまい、ストッパー５５によるずれ防止機能も充分ではなかった。
【０００６】
そこで、本発明は、就寝時等に人が当る等して不意な力がかかっても、外れたり、マットレスとの間に隙間が生じたりしにくいベッド用かけ布ずれ防止具を提供することを目的とする。
【課題を解決するための手段】
【０００７】
上記課題を解決するために、本発明のベッド用かけ布ずれ防止具は、ベッドのボトムと該ボトム上に載置されたマットレスとの間に一方のベッドサイドから差込まれる差込部と、該差込部の基端から起立してかけ布の側縁が当たりうるガード部とを含むベッド用かけ布ずれ防止具において、前記差込部の上面から上方へ５〜３０ｍｍ突出し前記マットレスに食い込んで係合する係合突起を設けたことを特徴とする。
【０００８】
ここで、かけ布には、かけ布団や、毛布等が含まれる。
【０００９】
係合突起は、差込部の上面から上方へ突出している高さが５ｍｍ未満であると、マットレスへの食い込みが浅くなり、ガード部が外側に向かって傾いたときの差込部とマットレスとの摩擦が充分に得られなくなる。一方、３０ｍｍを超えると、マットレスを傷めるおそれがある。好ましくは、１０〜２５ｍｍである。
【００１０】
差込部の先端から係合突起の中心までの距離が１０ｃｍ以下であることが好ましい。これは、この距離が１０ｃｍを超えると、ガード部が外側に向かって傾いたときのマットレスへの係合突起の食い込みが浅くなってしまい、差込部とマットレスとの摩擦が充分に得られなくなるおそれがある。より好ましくは、５ｃｍ以下である。差込部の先端から係合突起の中心までの距離の最小値については、特に限定はされないが、敢えて言うならば０．５ｃｍ以上である。
【００１１】
また、マットレスを傷めることなく食い込むことができることから、ポリマーからなることが好ましい。ポリマーとしては、特に限定はされないが、ナイロン、ポリエチレン、ポリプロピレン等のプラスチックや、ゴム、熱可塑性エラストマー等のエラストマー等が例示できる。
【００１２】
また、係合突起の座屈を防止でき、且つ鋭い角度でマットレスに食い込んで差込部とマットレスとの摩擦が大きくなることから、平面視における面積が１〜２０ｃｍ２であることが好ましい。より好ましくは、２〜７ｃｍ２である。
【発明の効果】
【００１３】
本発明によれば、就寝時等に人が当る等して不意な力がかかっても、外れたり、マットレスとの間に隙間が生じたりしにくいベッド用かけ布ずれ防止具を提供することができる。
【図面の簡単な説明】
【００１４】
【図１】本発明の実施例１のベッド用かけ布ずれ防止具の使用状態の斜視図である。
【図２】同ベッド用かけ布ずれ防止具の斜視図である。
【図３】同ベッド用かけ布ずれ防止具がマットレスとボトムとに挟持されている状態の断面図である。
【図４】同ベッド用かけ布ずれ防止具のずれ試験の模式図である。
【図５】本発明の実施例２のベッド用かけ布ずれ防止具の斜視図である。
【図６】本発明の実施例３のベッド用かけ布ずれ防止具の斜視図である。
【図７】本発明の変更例のベッド用かけ布ずれ防止具の使用状態の斜視図である。
【図８】従来のベッド用かけ布ずれ防止具の使用状態の斜視図である。
【図９】同ベッド用かけ布ずれ防止具の寝返りによるずれを説明する模式図である。
【発明を実施するための形態】
【実施例１】
【００１５】
本発明の実施例１のベッド用かけ布ずれ防止具１０について、図１〜図４を用いて説明する。
【００１６】
図１に示すように、ベッド用かけ布ずれ防止具１０は、ベッドのボトム６とこのボトム６上に載置されたマットレス７との間に一方のベッドサイドから差込まれる長さが約４４ｃｍの二本の差込部２１と、この二本の差込部２１の基端から起立してかけ布団等のかけ布の側縁が当たりうる高さが約４０ｃｍのガード部１５とを含んでいる。
【００１７】
図２に示すように、ガード部１５は、二本の差込部２１を架橋する下方が開口のコ字状のガードフレーム１６と、ガードフレーム１６の基端部付近を支える補助フレーム１７と、ガードフレーム１６と補助フレーム１７とを包むように張設したガードカバー１８とからなっている。ガードカバー１８は、その側面がメッシュ構造になっていて、使用時の通気性が確保できるようになっている。
【００１８】
二本の差込部２１は、先端に設けられた連結バー２２によって連結されている。また、先端部の上面には、それぞれ係合突起２３が固着されている。連結バー２２の両端部には、ボトム６及びマットレス７との摩擦により差込部２１のずれを防止するストッパー２４がそれぞれ設けられている
【００１９】
係合突起２３は、差込部２１の先端から底面の中心までの距離が約３ｃｍとなるように設けられ、底面の直径が約２０ｍｍで、差込部２１の上面から上方へ約１２ｍｍ突出している略截頭円錐状（平面視の面積は約３．１ｃｍ２）をしており、ナイロン（ポリアミド樹脂）からできている。
【００２０】
上記のように構成されたベッド用かけ布ずれ防止具１０は、次のように使用する。使用時には、ベッドのボトム６とマットレス７との間に一方のベッドサイドから連結バー２２によって連結された状態で二本の差込部２１を差込み、図３に示すように、ガード部１５をマットレス７の側面に当接させる。また、この状態においては、係合突起２３は、鋭い角度でマットレス７に食い込んだ状態で係合している。
【００２１】
次に、このベッド用かけ布ずれ防止具１０のずれにくさを、次に説明するずれ試験によって評価した。この試験は、就寝中の乳幼児が寝返りを打つ等して、ガード部１５に当ることを想定して行った。
【００２２】
具体的には、ベッドのボトム６と、厚さが約２０ｃｍで重さが約１７Ｋｇのマットレス７との間に、ガード部１５がマットレス７の側面に当接する位置まで差込部２１を差込んで、ベッド用かけ布ずれ防止具１０をベッドにセットする。
【００２３】
そして、このようにベッド用かけ布ずれ防止具１０がセットされたベッドのマットレス７上に重さが約１５Ｋｇの合板ｂ（コンパネ）を載置し、この状態で、図４に示すように、直径が約１０ｃｍで長さが約３０ｃｍの円柱体ｃをガード部１５に約１５０Ｎの力で衝突させて試験を行った。
【００２４】
この試験において、ベッド用かけ布ずれ防止具１０は、ずれることなく、ガード部１５とマットレス７との間に隙間が生じることはなかった。
【００２５】
これは、図４のｂに示すように、円柱体ｃがガード部１５に当ると、その勢いによりガード部１５が外側に向かって傾き、差込部２１の先端が上方へと浮くことから、差込部２１とボトム６との摩擦が小さくなるとともに、差込部２１の先端によりマットレス７も上方へ持ち上げられて浮いてしまう。しかし、このように浮いたマットレス７に対しても係合突起２３は鋭い角度で食い込んで係合している。このため、この状態においても、差込部２１とマットレス７との摩擦を充分に得ることができ、図４のｃに示すように、ベッド用かけ布ずれ防止具１０はずれなかった。
【００２６】
ベッド用かけ布ずれ防止具１０によれば、就寝時等に人（特に乳幼児）が当る等して不意な力がかかっても、外れたり、マットレス７との間に隙間が生じたりすることがなかった。
【実施例２】
【００２７】
本発明の実施例２のベッド用かけ布ずれ防止具３０について、図５を用いて説明する。このベッド用かけ布ずれ防止具３０は、係合突起３３が変更されている点が実施例１のベッド用かけ布ずれ防止具１０と異なり、その他の点に関してはベッド用かけ布ずれ防止具１０と同じである。なお、図５において、ベッド用かけ布ずれ防止具１０と同じ部材には、同じ符号を付している。
【００２８】
係合突起３３は、差込部２１の先端から底面の中心までの距離が約３ｃｍとなるように設けられ、底面の直径が約２２ｍｍで、差込部２１の上面から上方へ約１７ｍｍ突出し、上面が凸起して半球面状となっている略円柱状（平面視の面積は約３．８ｃｍ２）をしており、ゴムからできている。
【００２９】
ベッド用かけ布ずれ防止具３０によれば、実施例１のベッド用かけ布ずれ防止具１０で得られた効果と同じ効果を得ることができた。
【実施例３】
【００３０】
本発明の実施例３のベッド用かけ布ずれ防止具３６について、図６を用いて説明する。このベッド用かけ布ずれ防止具３６は、連結バーがなく、各差込部２１の先端にストッパー２４がそれぞれ設けられている点が実施例１のベッド用かけ布ずれ防止具１０と異なり、その他の点に関してはベッド用かけ布ずれ防止具１０と同じである。なお、図６において、ベッド用かけ布ずれ防止具１０と同じ部材には、同じ符号を付している。
【００３１】
ベッド用かけ布ずれ防止具３６によれば、実施例１のベッド用かけ布ずれ防止具１０で得られた効果と同じ効果を得ることができた。
【００３２】
なお、本発明は前記実施例に限定されるものではなく、発明の趣旨から逸脱しない範囲で適宜変更して具体化することもできる。
【００３３】
例えば、図７に示すように、差込部２１の基端から他方のベッドサイドまで延出している延出部材４１と、この延出部材４１の延出端に設けられ他方のベッドサイドに掛止する掛止部材４５とを備え、これにより、より大きな力がガード部１５にかかるときにもずれることを防止できるようにすることである。
【符号の説明】
【００３４】
６    ボトム
７    マットレス
１０    ベッド用かけ布ずれ防止具
１５    ガード部
２１    差込部
２３    係合突起
３０    ベッド用かけ布ずれ防止具
３３    係合突起
３６    ベッド用かけ布ずれ防止具
【図１】
2012217676.tif 000003
【図２】
2012217676.tif 000004
【図３】
2012217676.tif 000005
【図４】
2012217676.tif 000006
【図５】
2012217676.tif 000007
【図６】
2012217676.tif 000008
【図７】
2012217676.tif 000009
【図８】
2012217676.tif 000010
【図９】
2012217676.tif 000011